(57)【特許請求の範囲】
【請求項１】
ＬＥＤ電源装置であって、
磁気回路式ＬＥＤ電源回路と、
前記磁気回路式ＬＥＤ電源回路を内包する筐体と
を備え、
前記磁気回路式ＬＥＤ電源回路が、
少なくとも１つのチョークコイル又は磁気漏れトランスを含み、交流電源に接続される磁気式安定器部と、
前記磁気式安定器部の出力を整流するダイオードブリッジと、
前記ダイオードブリッジの出力端子間に接続された出力コンデンサと、
前記出力コンデンサとＬＥＤの間の電流経路に挿入接続された出力チョークコイルと
を備え、
前記磁気式安定器部が、前記交流電源に接続される一対の入力配線の一方と前記ダイオードブリッジの入力端子の間に接続された入力チョークコイル、及び前記一対の入力配線間に接続された進相コンデンサを有し、
前記筐体の内部において、前記入力チョークコイルが、前記出力チョークコイル、前記進相コンデンサ、前記ダイオードブリッジ及び前記出力コンデンサよりも前記筐体の一端側に配置され、前記筐体が前記一端を上方にして設置されるように構成された、ＬＥＤ電源装置。
【請求項２】
前記出力チョークコイルが、前記進相コンデンサ、前記ダイオードブリッジ及び前記出力コンデンサよりも前記一端側に配置された請求項１に記載のＬＥＤ電源装置。
【請求項３】
前記入力チョークコイル及び前記出力チョークコイルが同サイズのコア及び同軸に巻回された巻線を有する、請求項１又は２に記載のＬＥＤ電源装置。
【請求項４】
前記出力チョークコイルが、珪素鋼板からなるコア及び該コアに巻回される銅巻線を備える請求項１から３のいずれか一項に記載のＬＥＤ電源装置。
【請求項５】
前記出力コンデンサがフィルムコンデンサからなる請求項１から４のいずれか一項に記載のＬＥＤ電源装置。
【請求項６】
磁気回路式ＬＥＤ電源回路であって、
交流電源に接続される第１及び第２の入力配線のうちの前記第１の入力配線に一端が接続された第１のチョークコイルと、
前記第１のチョークコイルの一端と前記第２の入力配線との間に接続されたインダクタ要素と、
前記インダクタ要素に並列接続された共振コンデンサと、
前記第１のチョークコイルの他端に一端が接続された第２のチョークコイルと、
前記第２のチョークコイルの他端及び前記第２の入力配線に入力端子が接続されたダイオードブリッジと、
前記ダイオードブリッジの出力端子間に接続され、一対の出力配線を介してＬＥＤに接続される出力コンデンサと
を備えた磁気回路式ＬＥＤ電源回路。
【請求項７】
前記インダクタ要素が、第１及び第２の巻線を有するトランスからなり、前記第１の巻線が前記第１のチョークコイルの他端と前記第２の入力配線との間に接続され、前記第１
の巻線と前記第２の巻線の直列回路に前記共振コンデンサが並列接続された請求項６に記載の磁気回路式ＬＥＤ電源回路。
【請求項８】
前記インダクタ要素が、前記第１のチョークコイルの他端と前記第２の入力配線との間に接続されたコイルからなり、前記共振コンデンサが前記コイルに並列接続された請求項６に記載の磁気回路式ＬＥＤ電源回路。
【請求項９】
前記出力コンデンサと前記ＬＥＤとの間の電流経路に挿入接続された出力チョークコイルを更に備えた請求項６に記載の磁気回路式ＬＥＤ電源回路。
【請求項１０】
前記出力チョークコイルが、珪素鋼板からなるコア及び該コアに巻回される銅巻線を備える請求項９に記載の磁気回路式ＬＥＤ電源回路。
【請求項１１】
前記出力コンデンサがフィルムコンデンサからなる請求項６から１０のいずれか一項に記載の磁気回路式ＬＥＤ電源回路。
【請求項１２】
ＬＥＤ電源装置であって、
請求項９又は１０に記載の磁気回路式ＬＥＤ電源回路と、
前記磁気回路式ＬＥＤ電源回路を内包する筐体と
を備え、
前記筐体の内部において、前記インダクタ要素が、前記第２のチョークコイル、前記第１のチョークコイル、前記出力チョークコイル、前記共振コンデンサ、前記ダイオードブリッジ及び前記出力コンデンサよりも前記筐体の一端側に配置され、前記筐体が前記一端を上方にして設置されるように構成された、ＬＥＤ電源装置。
【請求項１３】
前記第２のチョークコイルが、前記第１のチョークコイル、前記出力チョークコイル、前記共振コンデンサ、前記ダイオードブリッジ及び前記出力コンデンサよりも前記一端側に配置された請求項１２に記載のＬＥＤ電源装置。
【請求項１４】
前記第１のチョークコイルが、前記出力チョークコイル、前記共振コンデンサ、前記ダイオードブリッジ及び前記出力コンデンサよりも前記一端側に配置された請求項１３に記載のＬＥＤ電源装置。
【請求項１５】
前記出力チョークコイルが、前記共振コンデンサ、前記ダイオードブリッジ及び前記出力コンデンサよりも前記一端側に配置された請求項１４に記載のＬＥＤ電源装置。
【請求項１６】
前記第１のチョークコイル、前記第２のチョークコイル、前記インダクタ要素及び前記出力チョークコイルのうちの、隣接して配置される少なくとも２つ、好ましくは全てが同サイズのコア及び同軸に巻回された巻線を有する請求項１２から１５のいずれか一項に記載のＬＥＤ電源装置。
【請求項１７】
請求項６から１１のいずれか一項に記載の磁気回路式ＬＥＤ電源回路又は請求項１から５若しくは１２から１６のいずれか一項に記載のＬＥＤ電源装置と、直列接続された複数の前記ＬＥＤを有するＬＥＤユニットとを備えたＬＥＤ照明装置。
【発明の詳細な説明】
【技術分野】
【０００１】
本発明は、磁気回路式ＬＥＤ電源回路、ＬＥＤ電源装置及びＬＥＤ照明装置に関する。
【背景技術】
【０００２】
特許文献１は、磁気回路式のＬＥＤ電源を開示する。この磁気回路式ＬＥＤ電源は、交流電源が入力される昇圧型の磁気漏れ変圧器を含む磁気式安定器部と、磁気式安定器部の出力を整流するダイオードブリッジと、ＬＥＤに並列に接続され、ダイオードブリッジの整流出力を平滑する平滑コンデンサを備える。
【先行技術文献】
【特許文献】
【０００３】
【特許文献１】特開２０１５−０６９８７０号公報
【発明の概要】
【発明が解決しようとする課題】
【０００４】
しかし、特許文献１の構成には更なる改善の余地があり、以下の問題が挙げられる。
第１に、出力側の平滑コンデンサの大容量化の問題がある。具体的には、上記構成では、ＬＥＤ電流における低周波リップル（交流電源周波数の２倍の周波数のリップル）を許容レベル以下とするために、出力側に大容量の平滑コンデンサが採用される。コンデンサが大容量であると、その部品選定における選択肢は実質的にアルミ電解コンデンサに限られる。ところが、アルミ電解コンデンサの使用によって、その寿命等の観点から装置設計が大きく制約される等といった問題がある。また、平滑コンデンサが大容量であると、始動時間、すなわち交流電源投入時から平滑コンデンサの電圧がＬＥＤの順方向降下電圧を超えてＬＥＤが点灯開始するまでの時間が長くなるという問題がある。したがって、出力側のコンデンサの小容量化が望まれる。
【０００５】
第２に、出力側の平滑コンデンサの寿命末期時の出力リップルが問題となる。上記構成において、平滑コンデンサが寿命末期となり、その容量が低下すると、平滑電圧のリップルが増大する。特に、平滑電圧のリップルの谷部がＬＥＤの順方向降下電圧未満となると、ＬＥＤは電源周波数の２倍の周波数で点滅することになり、これがちらつきとして視認され得る。したがって、平滑コンデンサの寿命末期時の出力リップルを低減するための対策が望まれる。
【０００６】
第３に、交流電源からＬＥＤに到達するサージ電流が問題となる。交流電源投入時及び電源周波数毎の電圧反転時に、サージ電流が、交流電源から磁気式安定器部及びダイオードブリッジを介して（平滑コンデンサによって完全には吸収されずに）ＬＥＤに到達してし得る。そして、このサージ電流がＬＥＤの故障の原因となるという問題があった。
【０００７】
そこで、本発明は、出力側のコンデンサの小容量化、出力側のコンデンサの寿命末期時の出力リップルの低減、及び交流電源からＬＥＤに到達し得るサージ電流の抑制のうちの少なくとも１つを可能とする磁気回路式ＬＥＤ電源回路、磁気回路式ＬＥＤ電源装置及びＬＥＤ照明装置を提供することを課題とする。
【課題を解決するための手段】
【０００８】
本発明の第１の形態による磁気回路式ＬＥＤ電源回路は、交流電源に接続される、少なくとも１つのチョークコイル又は磁気漏れトランスを含む磁気式安定器部と、磁気式安定器部の出力を整流するダイオードブリッジと、ダイオードブリッジの出力端子間に接続された出力コンデンサと、出力コンデンサとＬＥＤの間の電流経路に挿入接続された出力チョークコイルとを備える。
【０００９】
上記構成によると、出力コンデンサとＬＥＤの間の経路に挿入接続された出力チョークコイルのインダクタンス成分により出力電流波形が鈍る。これにより、出力リップルの低減作用が出力コンデンサの容量に依存する程度が小さくなり、出力コンデンサの小容量化が可能となる。また、出力コンデンサが寿命末期となりその容量が低下しても、出力チョークコイル自体の誘導的な電流制御作用によって出力リップルの抑制が可能となる。
【００１０】
ここで、磁気式安定器部を、交流電源に接続される一対の入力配線の一方とダイオードブリッジの入力端子の間に接続された入力チョークコイル、及び一対の入力配線間に接続された進相コンデンサを有する構成とすることができる。これにより、小型、軽量かつ安価な構成で上記効果を有する磁気回路式ＬＥＤ電源回路が実現される。
【００１１】
本発明の第２の形態の磁気回路式ＬＥＤ電源回路は、交流電源に接続される第１及び第２の入力配線のうちの第１の入力配線に一端が接続された第１のチョークコイルと、第１のチョークコイルの一端と第２の入力配線との間に接続されたインダクタ要素と、インダクタ要素に並列接続された共振コンデンサと、第１のチョークコイルの他端に一端が接続された第２のチョークコイルと、第２のチョークコイルの他端及び第２の入力配線に入力端子が接続されたダイオードブリッジと、ダイオードブリッジの出力端子間に接続され、一対の出力配線を介してＬＥＤに接続される出力コンデンサとを備える。
【００１２】
上記構成によると、交流電源からＬＥＤの間の経路に直列接続された第１及び第２のチョークコイルのインダクタンス成分、並びに第１のチョークコイル、インダクタ要素及び共振コンデンサの共振作用による出力電圧ピークの平坦化の作用により、交流電源からＬＥＤに到達し得るサージ電流を抑制することができる。
【００１３】
インダクタ要素は第１及び第２の巻線を有するトランスからなり、第１の巻線が第１のチョークコイルの他端と第２の入力配線との間に接続され、第１の巻線と第２の巻線の直列回路に共振コンデンサが並列接続される。あるいは、インダクタ要素は第１のチョークコイルの他端と第２の入力配線との間に接続されたコイルからなり、共振コンデンサがコイルに並列接続される構成としてもよい。これにより、第１のチョークコイル、共振コンデンサ及びインダクタ要素によって共振回路が形成され、定電力出力型の構成においてサージ抑制効果を有する磁気回路式ＬＥＤ電源回路が実現される。
【００１４】
さらに、出力コンデンサとＬＥＤとの間の電流経路に挿入接続された出力チョークコイルが設けられることが好ましい。このように、出力チョークコイルがＬＥＤ電流経路に挿入接続されることにより、さらにサージ電流抑制効果が高まる。また、第１の形態に関して上述したような、出力コンデンサの小容量化及び出力コンデンサ寿命末期時の出力リップル低減の効果も得られる。
【００１５】
上記第１及び第２の形態の磁気回路式ＬＥＤ電源回路において、出力チョークコイルは、珪素鋼板からなるコア、及びコアに巻回される銅巻線を備える。これにより、上記の出力コンデンサの小容量化及び出力コンデンサ寿命末期時の出力リップル低減の効果が確実に得られる。
【００１６】
また、上記第１及び第２の形態の磁気回路式ＬＥＤ電源回路において、出力コンデンサがフィルムコンデンサであることが好ましい。これにより、出力コンデンサの長寿命化、したがって磁気回路式ＬＥＤ電源回路の長寿命化が可能となる。
【００１７】
本発明の第１の形態の磁気回路式ＬＥＤ電源回路を含むＬＥＤ電源装置は、磁気回路式ＬＥＤ電源回路を内包する筒状の筐体を備え、筐体の内部において、入力チョークコイルが、出力チョークコイル、進相コンデンサ、ダイオードブリッジ及び出力コンデンサよりも筐体の一端側に配置され、筐体が当該一端を上方にして設置されるように構成される。これにより、構成部品中で最も発熱の大きい入力チョークコイルが、設置時の筐体内で最上部に配置され、効率的な放熱構成が実現される。
【００１８】
さらに、上記の効率的な放熱構成の観点から、出力チョークコイルが、進相コンデンサ、ダイオードブリッジ及び出力コンデンサよりも上記一端側に配置されることが好ましい。
【００１９】
また、入力チョークコイル及び出力チョークコイルが同サイズのコア及び同軸に巻回された巻線を有することが好ましい。これにより、入力チョークコイル及び出力チョークコイルの結合又は一体化が容易となり、製造工程の簡素化及び筐体内のスペース効率の向上が可能となる。
【００２０】
本発明の第２の形態の磁気回路式ＬＥＤ電源回路を含むＬＥＤ電源装置は、磁気回路式ＬＥＤ電源回路を内包する筒状の筐体を備え、筐体の内部において、インダクタ要素が、第２のチョークコイル、第１のチョークコイル、出力チョークコイル、共振コンデンサ、ダイオードブリッジ及び出力コンデンサよりも筐体の一端側に配置され、筐体が当該一端を上方にして設置されるように構成される。これにより、構成部品中で最も発熱の大きいインダクタ要素が、設置時の筐体内で最上部に配置され、効率的な放熱構成が実現される。
【００２１】
さらに、上記の効率的な放熱構成の観点から、第２のチョークコイルが、第１のチョークコイル、出力チョークコイル、共振コンデンサ、ダイオードブリッジ及び出力コンデンサよりも上記一端側に配置されることが好ましい。さらに、第１のチョークコイルが、出力チョークコイル、共振コンデンサ、ダイオードブリッジ及び出力コンデンサよりも上記一端側に配置されることが好ましい。さらに、出力チョークコイルが、共振コンデンサ、ダイオードブリッジ及び出力コンデンサよりも上記一端側に配置されることが好ましい。
【００２２】
また、第１のチョークコイル、第２のチョークコイル、インダクタ要素及び出力チョークコイルのうちの、隣接して配置される少なくとも２つ、好ましくは全てが、同サイズのコア及び同軸に巻回された巻線を有することが好ましい。これにより、上記部品同士の結合又は一体化が容易となり、製造工程の簡素化及び筐体内のスペース効率の向上が可能となる。
【００２３】
本発明のＬＥＤ照明装置は、上記いずれかの磁気回路式ＬＥＤ電源回路又はＬＥＤ電源装置と、直列接続された複数のＬＥＤを有するＬＥＤユニットとを備える。上述したように出力コンデンサの小容量化による種々の効果、及び出力コンデンサの寿命末期時の出力リップルの低減の効果を享受するＬＥＤ照明装置が実現される。また、上述したように交流電源からＬＥＤに到達し得るサージ電流が抑制されるので、ＬＥＤの故障が減少し、信頼性の高いＬＥＤ照明装置が実現される。
【図面の簡単な説明】
【００２４】
【図１】本発明の第１の実施形態による磁気回路式ＬＥＤ電源回路及びＬＥＤ照明装置を示す回路図である。
【図２】第１の実施形態のＬＥＤ電源装置の構造を示す模式図である。
【図３】本発明の第２の実施形態による磁気回路式ＬＥＤ電源回路及びＬＥＤ照明装置を示す回路図である。
【図４】第２の実施形態の変形例による磁気回路式ＬＥＤ電源回路を示す回路図である。
【図５】第２の実施形態のＬＥＤ電源装置の構造を示す模式図である。
【図６Ａ】本発明の変形例による磁気回路式ＬＥＤ電源回路を示す回路図である。
【図６Ｂ】本発明の変形例による磁気回路式ＬＥＤ電源回路を示す回路図である。
【図６Ｃ】本発明の変形例による磁気回路式ＬＥＤ電源回路を示す回路図である。
【図７】本発明の変形例による磁気回路式ＬＥＤ電源回路を示す回路図である。
【図８】比較例１の磁気回路式ＬＥＤ電源回路を示す回路図である。
【図９】比較例２の磁気回路式ＬＥＤ電源回路を示す回路図である。
【発明を実施するための形態】
【００２５】
＜第１の実施形態＞
図１に、本発明の第１の実施形態による磁気回路式ＬＥＤ電源回路１（以下、「ＬＥＤ電源回路１」という）及びそれを用いたＬＥＤ照明装置６を示す。ＬＥＤ電源回路１及びＬＥＤユニット５ＵによってＬＥＤ照明装置６が構成される。商用電源等の交流電源ＡＣから入力配線Ｗ１及びＷ２を介してＬＥＤ電源回路１に交流電圧が供給され、出力配線Ｗ３及びＷ４を介してＬＥＤユニット５Ｕに直流出力が給電される。ＬＥＤユニット５Ｕは、直列接続された複数のＬＥＤ５を有し、そのアノード端が出力配線Ｗ３に接続され、カソード端が出力配線Ｗ４に接続される。なお、ＬＥＤユニット５Ｕにおいて、本実施形態では単列のＬＥＤ５の直列回路を示すが、ＬＥＤ５の直列回路が複数列にわたって並列接続されていてもよい。以降の各図において、実質的に同様の構成には同様の符号を付し、その重複する説明を省略する。
【００２６】
ＬＥＤ電源回路１は、磁気式安定器部１０、ダイオードブリッジ３０、コンデンサ３５（出力コンデンサ）、放電抵抗３６及びチョークコイル４０（出力チョークコイル）を備える。なお、磁気式安定器部１０の前段の入力配線Ｗ１又はＷ２に電流ヒューズ、温度ヒューズ等が適宜挿入されていてもよい。
【００２７】
磁気式安定器部１０は、入力配線Ｗ１に接続されるチョークコイル１１（入力チョークコイル）、入力配線Ｗ１−Ｗ２間に接続されるコンデンサ１２（進相コンデンサ）、及びコンデンサ１２に並列接続された放電抵抗１３を備える。チョークコイル１１は、限流用のチョークコイルであり、珪素鋼板（電磁鋼板）のコア、及びコアに（必要に応じて対応するボビンを介して）巻回された銅巻線を備える。コンデンサ１２は力率改善用のフィルムコンデンサである。放電抵抗１３は、交流電源ＡＣがオフされた後のコンデンサ１２の残電荷を放電するための抵抗である。このようないわゆるチョーク型の安定器構成は、小型、軽量かつ安価であり、水銀灯用の安定器等に広く適用されている。
【００２８】
ダイオードブリッジ３０の入力端子は磁気式安定器部１０の出力端、すなわちチョークコイル１１及び入力配線Ｗ２に接続され、ダイオードブリッジ３０の出力端子間にはコンデンサ３５が接続される。コンデンサ３５の高電位端はチョークコイル４０を介して出力配線Ｗ３に接続され、低電位端は出力配線Ｗ４に接続される。もちろん、コンデンサ３５の高電位端が出力配線Ｗ３に接続され、低電位端がチョークコイル４０を介して出力配線Ｗ４に接続されてもよい。コンデンサ３５に並列接続された放電抵抗３６は、交流電源ＡＣがオフされた後のコンデンサ３５の残電荷を放電するための抵抗である。
【００２９】
本実施形態では、コンデンサ３５はフィルムコンデンサである。チョークコイル４０は、珪素鋼板（電磁鋼板）からなるコア、及びコアに（必要に応じて対応するボビンを介して）巻回された銅巻線を備え、そのインダクタンスは、０．２Ｈ〜２Ｈ程度であればよく、例えば、出力電力が３３Ｗ（ＬＥＤ５全体の順方向電圧降下Ｖｆが６６Ｖ、ＬＥＤ電流が０．５Ａ）の場合に０．４４Ｈ程度となる。なお、出力電力又は出力電流が大きいほど上記インダクタンス値も高くなる。ダイオードブリッジ３０によって全波整流された整流出力が、コンデンサ３５及びチョークコイル４０によって平滑される。
【００３０】
ここで、説明のために、図８に比較例１の磁気回路式ＬＥＤ電源回路１０１（以下、「ＬＥＤ電源回路１０１」という）を示す。ＬＥＤ電源回路１０１は、磁気式安定器部１０、ダイオードブリッジ３０、コンデンサ１３５及び放電抵抗１３６を備える。コンデンサ１３５の容量は、出力リップル（交流電源周波数の２倍の周波数の電圧リップル及び電流リップル、以下同じ）を所定のレベル以下とするために、出力電力が数Ｗ〜数１０Ｗである場合に、数１００〜１０００μＦ程度である。
【００３１】
一方、本実施形態では、チョークコイル４０のインダクタンス成分により、出力電流が鈍り、これにより出力リップルが低減される。すなわち、チョークコイル４０の挿入により、出力リップルにおけるコンデンサ３５の容量への依存度が低下するため、コンデンサ３５の小容量化が可能となる。コンデンサ３５の容量は、出力リップルを所定のレベル以下とするのに、出力電力が数Ｗ〜数１０Ｗである場合に、数１０〜１００μＦ程度であればよい。例えば、ＬＥＤ電力が３３Ｗである場合に、コンデンサ３５の容量は４７μＦでる。このように、本実施形態のコンデンサ３５の容量は、比較例１のコンデンサ１３５の容量の数１０分の１程度となる。
【００３２】
ここで、交流電源ＡＣが２００Ｖａｃ（ピーク電圧が約２８２Ｖ）である場合、コンデンサ３５及び１３５は、ディレーティング等を考慮して３５０Ｖ〜４５０Ｖ程度の耐圧を有する必要がある。上記の各容量及び耐圧並びに市場での入手性の観点から、コンデンサ１３５の現実的な選択肢はアルミ電解コンデンサとなるが、コンデンサ３５にはフィルムコンデンサが適用可能となる。また、コンデンサ３５にはセラミックコンデンサの適用も可能である。このように、コンデンサの３５が小容量化されることにより、部品選定の選択肢が広がる。
【００３３】
ここで、コンデンサ３５が電解コンデンサではなくフィルムコンデンサであることにより、コンデンサ３５の長寿命化、ひいてはＬＥＤ電源回路１の長寿命化が可能となる。一般に、電解コンデンサの寿命は（使用温度に影響されるものの）、コイル、トランス、半導体部品、抵抗素子等と比べて短いため、比較例１のＬＥＤ電源回路１０１のように電解コンデンサを含む回路の寿命は、その電解コンデンサの寿命によって決まる場合が多い。一方、コンデンサ３５はフィルムコンデンサであり、ＬＥＤ電源回路１は電解コンデンサを含まないため、その大幅な長寿命化が可能となる。
【００３４】
また、出力側のコンデンサが小容量化されることによって、交流電源ＡＣ投入時から、出力電圧がＬＥＤ５全体の順方向降下電圧Ｖｆを超えてＬＥＤ５が点灯開始するまでの始動時間が短縮される。一般に、時定数τ＝コンデンサの容量値×経路の抵抗値、であるから、本実施形態の始動時のコンデンサ３５（数１０〜１００μＦ程度）に関する時定数は、比較例１の始動時のコンデンサ１３５（数１００〜１０００μＦ程度）に関する時定数の数１０分の１となる。したがって、本実施形態では、比較例１に比べて、上記始動時間が大幅に短縮されることになる。
【００３５】
また、交流電源ＡＣをオフされた後のコンデンサ３５又は１３５の残電荷放電に関して、コンデンサ３５の容量はコンデンサ１３５の容量の数１０分の１であるので、同じ所定時間内に残電荷を放電させるのに、放電抵抗３６の抵抗値は放電抵抗１３６の抵抗値の数１０倍であればよい。したがって、ＬＥＤ５の点灯中における放電抵抗３６での損失は、放電抵抗１３６での損失の数１０分の１程度に低減されることになり、本実施形態では比較例１に対して、点灯に寄与しない箇所での損失が低減される。
【００３６】
また、仮にコンデンサ３５が寿命末期となったとしても、チョークコイル４０がＬＥＤ５に直列に接続されていることにより、出力リップルの増大が回避される。比較例１の構成において、コンデンサ１３５が寿命末期となりその容量が低下すると、出力リップルが増大し、特に、そのリップルの谷部がＬＥＤ５全体の順方向降下電圧Ｖｆ未満となると、ＬＥＤ５は交流電源周波数の２倍の周波数で点滅することになる。一方、チョークコイル４０がＬＥＤ５に直列接続されることにより、コンデンサ３５の容量が低下したとしても、チョークコイル４０の誘導的な電流制御作用により、ＬＥＤ電圧及び電流は略三角波（すなわちインダクタによるスイッチング波形）となり、その波形の谷部は上記の脈流波形と比べて底上げされる。したがって、コンデンサ３５が寿命末期となっても小さいリップルの出力電圧及び出力電流が維持され、上述したようなＬＥＤ５における点滅状態は発生しない。
【００３７】
図２に、ＬＥＤ電源回路１を用いたＬＥＤ電源装置３の構造を模式的に示す。図２において、下段の図はＬＥＤ電源装置３の正面図であり、上段の図は下段の図の線Ａ−Ａを矢印Ｂ方向に見た図である。なお、図面は寸法通りではない。
【００３８】
ＬＥＤ電源装置３は、金属製の筐体５０、上蓋５５及び下蓋６０を備える。筐体５０は、その長手方向に垂直な断面が略四角形の筒状体であり、筐体５０の一端に上蓋５５が被せられ、他端に下蓋６０が挿入される。この筐体構成は、水銀灯用、高圧放電灯用等の磁気回路式安定器において通常使用されているものである。言い換えると、標準的な磁気式安定器の構成を本実施形態に流用することができるので、本実施形態の構成は、部品標準化の観点から好ましい。
【００３９】
筐体５０の一側面５０１には、設置対象物への取付けを可能とする取付け部材（不図示）がねじ留め、溶接等により接続される。これにより、筐体５０は、通常は、上蓋５５を鉛直方向上部として（すなわち、下蓋６０を鉛直方向下部として）設置対象物に取り付けられる。したがって、以降の説明においては、実際の設置を想定して、上蓋５５側を上部、下蓋６０側を下部として説明する。下蓋６０は、筐体５０の端部に嵌合するように構成され、配線引出用の切欠き６０１並びに取付け用の孔６０２及び６０３を有する。切欠き６０１から、上述した入力配線Ｗ１及びＷ２、出力配線Ｗ３及びＷ４、並びに必要に応じてアース線が引き出される。ＬＥＤ電源装置３に出力配線Ｗ３及びＷ４を介してＬＥＤユニット５Ｕが接続されることにより、ＬＥＤ照明装置６が構成される。
【００４０】
筐体５０の内部では、上蓋５５側（上方）から、チョークコイル１１、チョークコイル４０、コンデンサ１２を含む樹脂製のケース７１、並びにコンデンサ３５を含む樹脂製のケース７２及びダイオードブリッジ３０が配置される。なお、ダイオードブリッジ３０はケース７２に結合されていてもよいし、ケース７２に含まれてもよい。また、不図示の放電抵抗１３はケース７１の内部又は外部に適宜接続されるものとし、同様に、不図示の放電抵抗３６はケース７２の内部又は外部に適宜接続されるものとする。また、チョークコイル４０とケース７１の間には適宜の取付けユニットが設けられてもよいし、ケース７２の下部にも取付け用金具が設けられてもよい。そして、上記の各部品又は部材は筐体５０の内面に所定の固定具（不図示）によって固定される。
【００４１】
チョークコイル１１は、コア１１１及び巻線１１２を有し、巻線１１２の両端を端部１１２ａ及び１１２ｂというものとする。同様に、チョークコイル４０は、コア４０１及び巻線４０２を有し、巻線４０２の両端を端部４０２ａ及び４０２ｂというものとする。コア１１１及び４０１の各々は、２つのＥ型コアを接合したものであってもよいし、Ｅ型コアとＩ型コアを接合したものであってもよい。巻線１１２及び４０２は、ともに筐体５０の長手方向を巻回軸としてコア１１１及び４０１に巻回されている。なお、図示においては、コア１１１及び４０１に対する巻線１１２及び４０２の巻回方向を示唆するために、巻方向と同じ方向の縞模様を巻線１１２及び４０２に付してあるが、実際には巻線１１２及び４０２には絶縁テープが被覆される。なお、端部１１２ａ及び１１２ｂが巻線１１２の上端に設けられているが、その一方又は両方が巻線１１２の下端に設けられてもよい。同様に、端部４０２ａ及び４０２ｂが巻線４０２の上端に設けられているが、その一方又は両方が巻線４０２の下端に設けられてもよい。
【００４２】
配線Ｗ１〜Ｗ１０によって配線構成の一例を示す。入力配線Ｗ１がケース７１の端子７１ａまで配線され、配線Ｗ５が端子７１ａから巻線１１２の端部１１２ａまで配線され、配線Ｗ６が端部１１２ａからダイオードブリッジ３０の一方の入力端子（内側端子）まで配線される。また、入力配線Ｗ２がケース７１の端子７１ｂまで配線され、配線Ｗ７が端子７１ｂからダイオードブリッジ３０の他方の入力端子（内側端子）まで配線される。配線Ｗ８がダイオードブリッジ３０の高電位出力端子（ボディに切り込みのある側の外側端子）からケース７２の端子７２ａまで配線され、配線Ｗ９が端子７２ａから巻線４０２の端部４０２ａまで配線され、出力配線Ｗ３が端部４０２ａに接続される。配線Ｗ１０がダイオードブリッジ３０の低電位出力端子（外側端子）から端子７２ｂまで配線され、出力配線Ｗ４が端子７２ｂに接続される。ただし、当業者であれば、同じ回路を実現するのに多数の配線態様があり得ることが分かるはずである。例えば、図２では、入力配線Ｗ１が端子７１ａまで配線され、配線Ｗ５が端子７１ａから端部１１２ａまで配線されるが、入力配線Ｗ１が端部１１２ａまで配線され、他の配線が端部１１２ａから端子７１ａまで配線されてもよい。
【００４３】
上述したように、筐体５０の上蓋５５側が上方となることから、発熱量が大きい構成部品の順に上方から配置することが好ましい。したがって、最も発熱量の大きいチョークコイル１１が構成部品の中で最上部に配置される。そして、次に発熱量が大きいチョークコイル４０がチョークコイル１１の下部に配置される。このように、チョークコイル１１及び４０は隣接配置される。したがって、チョークコイル１１及び４０が同サイズのコア１１１及び４０１を有し、巻線１１２及び４０２が同軸に巻回されることにより、チョークコイル１１及び４０の結合又は一体化が容易となり、製造工程の簡素化及び筐体内のスペース効率の向上が可能となる。
【００４４】
なお、チョークコイル１１及び４０の次に発熱量が大きい部品はダイオードブリッジ３０となるが、装置全体に対するその発熱量の割合は小さく、その温度上昇は大きな問題とならない。したがって、ケース７１並びにダイオードブリッジ３０及びケース７２は、相互の取付けの容易性、チョークコイル４０への取付けの容易性、配線の容易性等を考慮して適宜決定されればよい。
【００４５】
また、必要に応じて、例えば不飽和ポリエステルからなる充填材が筐体５０内に充填される。ＬＥＤ電源装置３の製造において、上蓋５５が筐体５０に取り付けられ、チョークコイル１１、チョークコイル４０、ケース７１、ダイオードブリッジ３０及びケース７２が筐体５０の内部に配置され、上蓋５５を下方に向けた状態で液体状の充填材が筐体５０内に充填される。その後、充填材が乾燥され、下蓋６０が筐体５０に取り付けられる。
【００４６】
ここでも、コンデンサ３５が電解コンデンサではなくフィルムコンデンサであることによって有利な効果がもたらされる。通常、アルミ電解コンデンサにおいては、その筒状ケースの底面（リード引出し面と逆の面）に防爆弁が設けられ、故障の際にはこの防爆弁が裂けてそこから内容物が噴出することによって内部応力が安全な態様で発散される。したがって、充填構成においては、この防爆弁が充填剤によって塞がれないように電解コンデンサが配置されるような工夫が必要となる。一方、コンデンサ３５がフィルムコンデンサであれば、上記のような工夫が不要となることから、コンデンサ３５及び他の部品の配置の自由度が高くなる。
【００４７】
以上のように、本実施形態のＬＥＤ電源回路１は、交流電源ＡＣに接続されるチョークコイル１１等を含む磁気式安定器部１０と、磁気式安定器部１０の出力を整流するダイオードブリッジ３０と、ダイオードブリッジ３０の出力端子間に接続された出力コンデンサ３５と、出力コンデンサ３５とＬＥＤ５の間の電流経路に挿入接続された出力チョークコイル４０を備える。このように、チョークコイル４０がコンデンサ３５とＬＥＤ５との間の電流経路に接続されたことにより、出力リップルの低減作用がコンデンサ３５の容量に依存する程度が小さくなり、コンデンサ３５の小容量化が可能となる。これにより、上述したような種々の有利な効果がもたらされる。また、コンデンサ３５が寿命末期となりその容量が低下しても、チョークコイル４０自体の誘導的な電流制御作用によって出力リップルの抑制が可能となる。
【００４８】
また、本実施形態のＬＥＤ電源装置３は、上記のＬＥＤ電源回路１と、ＬＥＤ電源回路１を内包する筐体５０を備え、筐体５０の内部において、少なくとも、チョークコイル１１が、チョークコイル４０、コンデンサ１２、ダイオードブリッジ３０及びコンデンサ３５よりも上蓋５５側に配置され、筐体５０が上蓋５５側を上方にして設置されるように構成される。このように、発熱量が大きいチョークコイル１１が最上部に配置されることにより、効率的な放熱構成が実現される。
【００４９】
また、ＬＥＤ照明装置６は、上記のＬＥＤ電源回路１又はＬＥＤ電源装置３と、直列接続された複数のＬＥＤ５を有するＬＥＤユニット５Ｕとを備える。これにより、小容量化されたコンデンサ３５によって、部品選択肢の拡大、始動時間短縮等の効果を享受するＬＥＤ照明装置６が実現される。また、コンデンサ３５の寿命末期時のＬＥＤ電流のリップルが低減され、長期間の使用においてもＬＥＤ光出力が安定したＬＥＤ照明装置６が実現される。
【００５０】
＜第２の実施形態＞
上記第１の実施形態では、出力側のコンデンサ３５の小容量化等が実現される構成を示したが、本実施形態では、交流電源ＡＣからＬＥＤ５に到達し得るサージ電流の抑制が実現される構成を示す。
【００５１】
図３に、本実施形態の磁気回路式ＬＥＤ電源回路２（以下、「ＬＥＤ電源回路２」という）及びＬＥＤ照明装置７の回路図を示す。ＬＥＤ電源回路２は、磁気式安定器部２０、ダイオードブリッジ３０、コンデンサ３５及びチョークコイル４０を備える。磁気式安定部２０は、チョークコイル２１（第１のチョークコイル）、トランス２２（インダクタ要素）、コンデンサ２３（共振コンデンサ）及びチョークコイル２５（第２のチョークコイル）を備える。なお、チョークコイル２１からトランス２２及びコンデンサ２３までが磁気式安定器部２０と定義される場合もあるが、本明細書においては、説明の便宜上、チョークコイル２１、トランス２２、コンデンサ２３及びチョークコイル２５を磁気式安定器部２０というものとする。
【００５２】
チョークコイル２１の一端は入力配線Ｗ１に接続される。トランス２２は巻線２２１及び巻線２２２を有し、巻線２２１がチョークコイル２１の他端と入力配線Ｗ２との間に接続される。コンデンサ２３は、トランス２２の巻線２２１と巻線２２２の直列回路に並列接続される。なお、巻線２２１及び２２２の巻方向は同じであるものとし、巻線２２１−２２２の両端間電圧は巻線２２１の両端間電圧よりも大きい。チョークコイル２５は、限流用のコイルであり、その一端がチョークコイル２１の他端に接続される。ダイオードブリッジ３０の入力端子は磁気式安定器部１０の出力端、すなわちチョークコイル２５の他端及び入力配線Ｗ２に接続される。
【００５３】
なお、磁気式安定器部２０は、図４に示すような形態の磁気式安定器部２０であってもよい。図４に示す形態においては、図３のトランス２２の代わりにコイル２４（インダクタ要素）が接続される。すなわち、コイル２４がチョークコイル２１とチョークコイル２５の接続点と入力配線Ｗ２との間に接続され、コンデンサ２３がコイル２４に並列接続される。
【００５４】
図３の構成では、チョークコイル２１、トランス２２及びコンデンサ２３によって共振回路が構成され、図４の構成でも、チョークコイル２１、コイル２４及びコンデンサ２３によって共振回路が構成され、それぞれ、電源電圧変動に対して出力電力が概ね一定となるように構成される。したがって、全体として定電力出力型のＬＥＤ電源回路２が構成される。なお、図３の構成では、図４の構成と比べて、コンデンサ２３の容量は小さい。
【００５５】
ダイオードブリッジ３０の出力側の構成は第１の実施形態（図１）と同様である。すなわち、ダイオードブリッジ３０の出力端子間にコンデンサ３５が接続され、コンデンサ３５には放電用の放電抵抗３６が並列接続される。チョークコイル４０がコンデンサ３５の高電位端（又は低電位端）と出力配線Ｗ３（又はＷ４）の間に接続され、コンデンサ３５の低電位端（又は高電位端）が出力配線Ｗ４（又はＷ３）に接続される。出力配線Ｗ３にはＬＥＤ５のアノード端が接続され、出力配線Ｗ４にはＬＥＤ５のカソード端が接続される。
【００５６】
本実施形態でも、チョークコイル２１、トランス２２又はコイル２４、チョークコイル２５及びチョークコイル４０の各々は、珪素鋼板（電磁鋼板）のコア、及びコアに（必要に応じて対応するボビンを介して）巻回された銅巻線を備える。また、コンデンサ３５も、第１の実施形態と同様に、フィルムコンデンサからなることが好ましい。
【００５７】
ここで、図９に示す比較例２を用いて、サージ電流について説明する。サージ電流とは、交流電源ＡＣの投入時の突入電流、及び交流電源の電圧反転に伴う急峻な入力電流のことをいう。比較例２の磁気回路式ＬＥＤ電源回路１０２（以下、「ＬＥＤ電源回路１０２」という）は、磁気式安定器部１２０、ダイオードブリッジ３０、コンデンサ１３５及び放電抵抗１３６を備える。磁気式安定器部１２０は、チョークコイル２６、昇圧型の磁気漏れトランス２７、力率改善用のコンデンサ２８及び放電抵抗２９を含み、トランス２７は巻線２７１及び２７２を有する。チョークコイル２６の一端が入力配線Ｗ１に接続され、他端が巻線２７１と巻線２７２の共通端に接続される。巻線２７１の一端は入力配線Ｗ２及びダイオードブリッジ３０の一方の入力端子に接続され、他端がコンデンサ２８を介してダイオードブリッジ３０の他方の入力端子の間に接続される。ダイオードブリッジ３０の出力端子間にコンデンサ１３５が接続される。
【００５８】
ＬＥＤ電源回路１０２においては、交流電源ＡＣからの入力電流は、（入力配線Ｗ１が高電位側となる場合）入力配線Ｗ１→チョークコイル２６→トランス２７の巻線２７２→コンデンサ２８→ダイオードブリッジ３０→出力配線Ｗ３を介してＬＥＤ５に到達し、ＬＥＤ５から出力配線Ｗ４→ダイオードブリッジ３０→入力配線Ｗ２に流れる。この電流経路において、誘導性又は抵抗性の素子はチョークコイル２６しかなく、更には容量性のコンデンサ２８の作用により、サージ電流は抑制されることなく上記電流経路に流れる。
【００５９】
これに対して、本実施形態のＬＥＤ電源回路２では、交流電源ＡＣからＬＥＤ５までの間に、チョークコイル２１、チョークコイル２５及びチョークコイル４０の直列回路が介在し、チョークコイル２１、コンデンサ２３及びトランス２２の共振回路が構成される。したがって、チョークコイル２１、２５及び４０のインダクタンス成分、及び共振回路による出力電圧ピークの平坦化作用により、サージ電流が吸収及び抑制される。チョークコイル４０は、第１の実施形態に関して説明したコンデンサ３５の小容量化等の効果及びコンデンサ３５の寿命末期時の出力リップル低減の効果だけでなく、サージ電流抑制の効果も有することになる。ただし、上記サージ電流抑制の効果は、磁気式安定器部２０のみによってもある程度は得られる。
【００６０】
図５に、ＬＥＤ電源回路２を用いたＬＥＤ電源装置４の構造を模式的に示す。図５における視方向は図２におけるものと同じである。ただし、配線は図示を省略してあり、図面は寸法通りではない。
【００６１】
ＬＥＤ電源装置４は、金属製の筐体５１、上蓋５６及び下蓋６１を備え、筒状の筐体５１の一端に上蓋５６が被せられ、他端に下蓋６１が挿入される。筐体５１、上蓋５６及び下蓋６１は、第１の実施形態における筐体５０、上蓋５５及び下蓋６０とサイズのみが異なり、基本的な構成は同様であるのでその重複する説明を省略する。不図示の出力配線Ｗ３及びＷ４を介してＬＥＤユニット５ＵがＬＥＤ電源装置４に接続されることにより、ＬＥＤ照明装置７が構成される。
【００６２】
筐体５１の内部では、上蓋５６側（上方）から、トランス２２、チョークコイル２５、チョークコイル２１、チョークコイル４０、コンデンサ２３を含むケース７１、並びにコンデンサ３５を含むケース７２及びダイオードブリッジ３０が配置される。なお、ダイオードブリッジ３０はケース７２に結合されていてもよいし、ケース７２に含まれてもよい。不図示の放電抵抗３６はケース７２の内部又は外部に適宜接続されるものとする。そして、上記の各部品又は部材は筐体５１の内面に所定の固定具（不図示）によって固定される。また、筐体５１の内部には、必要に応じて充填剤が（筐体５０の場合と同様の工程によって）充填される。
【００６３】
トランス２２はコア２２１及び巻線２２２を有し、チョークコイル２５はコア２５１及び巻線２５２を有し、チョークコイル２１はコア２１１及び巻線２１２を有し、チョークコイル４０はコア４０１及び巻線４０２を有する。各コアは、２つのＥ型コアを接合したものであってもよいし、Ｅ型コアとＩ型コアを接合したものであってもよい。各巻線は、ともに筐体５１の長手方向を巻回軸として各にそれぞれ巻回される。なお、図示においては、各コアに対する各巻線の巻回方向を示唆するために、巻方向と同じ方向の縞模様を各巻線に付しているが、実際には各巻線には絶縁テープが被覆される。
【００６４】
上述したように、筐体５１の上蓋５６側が上方となることから、発熱量が大きい構成部品の順に上方から配置することが好ましい。したがって、最も発熱量の大きいトランス２２が構成部品の中で最上部に配置される。そして、発熱量が大きい順に、チョークコイル２５、チョークコイル２１、及びチョークコイル４０がこの順に配置される。残余の部品、すなわちケース７１並びにダイオードブリッジ３０及びケース７２は、相互の取付けの容易性、チョークコイル４０への取付けの容易性、配線の容易性等を考慮して適宜決定されればよい。なお、トランス２２の代わりにコイル２４が用いられる場合も同様に、コイル２４が最上部に配置される。
【００６５】
ここで、トランス２２並びにチョークコイル２１、２５及び４０（以下、総称して、又は一部を代表して「コイル類」という）のうちの少なくとも隣接して配置される２つのコイル類が同サイズのコアで構成され、さらにはこれらのコイル類の全てが同サイズのコアで構成されることがより好ましい。そして、隣接配置されるコイル類又はコイル類の全ての巻線が同軸に巻回されることが好ましい。これにより、コイル類同士の結合又は一体化が容易となり、製造工程の簡素化及び筐体内のスペース効率の向上が可能となる。
【００６６】
以上のように、本実施形態のＬＥＤ電源回路２は、入力配線Ｗ１に一端が接続されたチョークコイル２１と、チョークコイル２１の一端と入力配線Ｗ２との間に接続されたトランス２２又はコイル２４と、トランス２２又はコイル２４に並列接続された共振コンデンサ２３と、チョークコイル２１の他端に一端が接続されたチョークコイル２５と、チョークコイル２５の他端及び入力配線Ｗ２に入力端子が接続されたダイオードブリッジ３０と、ダイオードブリッジ３０の出力端子間に接続されたコンデンサ３５を備える。交流電源ＡＣからＬＥＤ５の間の経路に直列接続されたチョークコイル２１及び２５のインダクタンス成分、並びにチョークコイル２１、トランス２２又はコイル２４及びコンデンサ２３の共振作用による出力電圧ピークの平坦化の作用により、交流電源ＡＣからＬＥＤ５に到達し得るサージ電流を抑制することができる。
【００６７】
またさらに、チョークコイル４０がコンデンサ３５とＬＥＤ５との間の電流経路に挿入接続されることにより、さらにサージ抑制効果が高まる。そして、チョークコイル４０の挿入により、第１の実施形態と同様に、コンデンサ３５の小容量化の効果及びコンデンサ３５の寿命末期時の出力リップル低減の効果も得られる。
【００６８】
また、本実施形態のＬＥＤ電源装置４は、上記のＬＥＤ電源回路２と、ＬＥＤ電源回路２を内包する筐体５０を備え、筐体５０の内部において、少なくとも、トランス２２が、チョークコイル２５、チョークコイル２１、チョークコイル４０、コンデンサ２３、ダイオードブリッジ３０及びコンデンサ３５よりも上蓋５６側に配置され、筐体５１が上蓋５６側を上方にして設置されるように構成される。このように、発熱量が大きいトランス２２が最上部に配置されることにより、効率的な放熱構成が実現される。
【００６９】
また、ＬＥＤ照明装置７は、上記のＬＥＤ電源回路２又はＬＥＤ電源装置４と、直列接続された複数のＬＥＤ５を有するＬＥＤユニット５Ｕとを備える。これにより、少なくとも、交流電源ＡＣからＬＥＤ５に到達し得るサージ電流が抑制されてＬＥＤ５の故障が減少し、信頼性の高いＬＥＤ照明装置７が実現される。
【００７０】
＜変形例＞
以上に本発明の好適な実施形態を示したが、本発明は、例えば以下に示すように種々の態様に変形可能である。
【００７１】
（１）磁気式安定器部１０の変形
上記第１の実施形態において、磁気式安定器部１０は、図６Ａ〜図６Ｃに示すような磁気式安定器１０Ａ〜１０Ｃであってもよい。
図６Ａに示す磁気式安定器部１０Ａは、昇圧型の磁気漏れトランス１４、力率改善用のコンデンサ１５及び放電抵抗１６を含む。トランス１４は、巻線１４１、１４２及び１４３を有する。巻線１４１の一端が入力配線Ｗ１に接続され、巻線１４１の他端が巻線１４２と巻線１４３の共通端に接続される。巻線１４２の他端は入力配線Ｗ２及びダイオードブリッジ３０の一方の入力端子に接続され、巻線１４３の他端がコンデンサ１５を介してダイオードブリッジ３０の他方の入力端子の間に接続される。コンデンサ１５には放電用の抵抗１６が並列接続される。
【００７２】
図６Ｂに示す磁気式安定器部１０Ｂは、図６Ａの磁気式安定器部１０Ａとほぼ等価である。磁気式安定器部１０Ｂは、チョークコイル１７、昇圧型の磁気漏れトランス１８、力率改善用のコンデンサ１５及び放電抵抗１６を含む。トランス１８は巻線１８４及び１８５を有する。チョークコイル１７の一端が入力配線Ｗ１に接続され、他端が巻線１８４と巻線１８５の共通端に接続される。巻線１８４の一端は入力配線Ｗ２及びダイオードブリッジ３０の一方の入力端子に接続され、巻線１８５の他端はコンデンサ１５を介してダイオードブリッジ３０の他方の入力端子の間に接続される。
【００７３】
図６Ｃに示す磁気式安定器部１０Ｃは、昇圧型の磁気漏れトランス１９を含む。トランス１９は、巻線１９１及び１９２を有し、巻線１９１と巻線１９２の共通端が入力配線Ｗ１に接続される。巻線１９１の他端が入力配線Ｗ２及びダイオードブリッジ３０の一方の入力端子に接続され、巻線１９２の他端がダイオードブリッジ３０の他方の入力端子に接続される。トランス１９は、図６Ａのトランス１４に比べて小さいインダクタ成分で構成されるので、トランス１９のインダクタ成分による電流位相の遅れは小さく、力率改善用のコンデンサ（図６Ａのコンデンサ１５）が省かれる。
【００７４】
また、ＬＥＤ電源装置３において、磁気式安定器部１０Ａについては、筐体５０の上蓋５５側（上方側）から、トランス１４、チョークコイル４０、その他の部品の順に構成部品が配置されることが好ましい。磁気式安定器部１０Ｂについては、上蓋５５側（上方側）から、トランス１８、チョークコイル１７、チョークコイル４０、その他の部品の順に構成部品が配置されることが好ましい。磁気式安定器部１０Ｃについては、上蓋５５側（上方側）から、トランス１９、チョークコイル４０、その他の部品の順に構成部品が配置されることが好ましい。
【００７５】
（２）ダイオードブリッジ３０及びコンデンサ３５の変形
上記各実施形態では全波整流構成としてダイオードブリッジ３０を示した。一方、交流電源電圧が比較的低く（例えば電源電圧が１００Ｖａｃである場合）かつＬＥＤ５全体の順方向降下電圧が比較的高い場合には、全波整流構成は、図７に示すように、ダイオード３１及び３２並びにコンデンサ３７及び３８からなる倍電圧回路であってもよい。この場合でも、コンデンサ３７及び３８にはフィルムコンデンサを使用することができる。このように、チョークコイル４０の適用に伴うコンデンサ３７及び３８の小容量化により、比較的小規模な倍電圧回路が構成される。
【符号の説明】
【００７６】
１、２  磁気回路式ＬＥＤ電源回路
３、４  ＬＥＤ電源装置
５  ＬＥＤ
５Ｕ  ＬＥＤユニット
６、７  ＬＥＤ照明装置
１０、１０Ａ、１０Ｂ、１０Ｃ  磁気式安定器部
１１、１７  チョークコイル
１２、１５  コンデンサ
１４、１８、１９  磁気漏れトランス
２０  磁気式安定器部
２１、２５  チョークコイル
２２  トランス
２３  コンデンサ
２４  コイル
３０  ダイオードブリッジ
３５  コンデンサ
４０  チョークコイル
５０  筐体
Ｗ１、Ｗ２  入力配線
Ｗ３、Ｗ４  出力配線
【図１】
0006604814.tif 000002
【図２】
0006604814.tif 000003
【図３】
0006604814.tif 000004
【図４】
0006604814.tif 000005
【図５】
0006604814.tif 000006
【図６Ａ】
0006604814.tif 000007
【図６Ｂ】
0006604814.tif 000008
【図６Ｃ】
0006604814.tif 000009
【図７】
0006604814.tif 000010
【図８】
0006604814.tif 000011
【図９】
0006604814.tif 000012